(57)【要約】  ２位に分岐構造を有するエーテル系基油を高い収率で得ることができる製造方法を提供する。  下記工程１及び工程２を有する、２位に分岐構造を有するエーテル系基油の製造方法。工程１：２位に分岐構造を有するアルデヒド（Ａ）に、２位に分岐構造を有するアルコール（Ｂ）を縮合させるアセタール化反応を行い、含アセタール組成物を得る工程。工程２：含アセタール組成物に含まれるアセタールを還元して２位に分岐構造を有するエーテル系化合物を得る工程。【特許請求の範囲】
【請求項１】
下記工程１及び工程２を有する、２位に分岐構造を有するエーテル系基油の製造方法。
工程１：２位に分岐構造を有するアルデヒド（Ａ）に、２位に分岐構造を有するアルコール（Ｂ）を縮合させるアセタール化反応を行い、含アセタール組成物を得る工程。
工程２：含アセタール組成物に含まれるアセタールを還元して２位に分岐構造を有するエーテル系化合物を得る工程。
【請求項２】
前記アルデヒド（Ａ）が下記一般式（Ｉ）で表される化合物であり、前記アルコール（Ｂ）が下記一般式（II）で表される化合物である、請求項１に記載の２位に分岐構造を有するエーテル系基油の製造方法。
【化１】
2017164124.tif 000006
［式（Ｉ）中、Ｒ１及びＲ２は、それぞれ独立して、炭素数１以上１２以下のアルキル基を示す。］
【化２】
2017164124.tif 000007
［式（II）中、Ｒ３及びＲ４は、それぞれ独立して、炭素数１以上１２以下のアルキル基を示す。］
【請求項３】
前記エーテル系化合物が下記一般式（III）で表される化合物を含む請求項２に記載の２位に分岐構造を有するエーテル系基油の製造方法。
【化３】
2017164124.tif 000008
［式（III）中、Ｒ１〜Ｒ４は、それぞれ独立して、炭素数１以上１２以下のアルキル基を示す。］
【請求項４】
前記工程１を酸触媒の存在下で行い、前記酸触媒としてスルホン酸系化合物を含む、請求項１〜３の何れか１項に記載の２位に分岐構造を有するエーテル系基油の製造方法。
【請求項５】
前記スルホン酸系化合物が、芳香族スルホン酸系化合物及びその水和物から選ばれる１種以上である請求項４に記載の２位に分岐構造を有するエーテル系基油の製造方法。
【請求項６】
前記工程２の還元が、触媒を用いる接触水素還元方法である、請求項１〜５の何れか１項に記載の２位に分岐構造を有するエーテル系基油の製造方法。
【請求項７】
前記工程１と前記工程２との間に下記の工程１’を行い、前記工程２の含アセタール組成物として、下記工程１’で得られた含アセタール組成物ｘを用いる請求項１〜５の何れか１項に記載の２位に分岐構造を有するエーテル系基油の製造方法。
工程１’：前記工程１で得られた含アセタール組成物をアルカリ処理した後、アセタールを含む有機相と、水相とを分離し、有機相から含アセタール組成物ｘを得る工程。
【請求項８】
前記アルカリがアルカリ金属の水酸化物である、請求項７に記載の２位に分岐構造を有するエーテル系基油の製造方法。
【請求項９】
エステル系化合物の含有量が、前記２位に分岐構造を有するエーテル系基油の全量基準で２．０質量％以下である、請求項１〜８の何れか１項に記載の２位に分岐構造を有するエーテル系基油の製造方法。
【請求項１０】
請求項１〜９の何れか１項に記載のエーテル系基油の製造方法で得られたエーテル系基油に、冷媒を添加する工程を有する、冷凍機油組成物の製造方法。
【請求項１１】
請求項１〜９の何れか１項に記載のエーテル系基油の製造方法で得られたエーテル系基油に、潤滑油添加剤を添加する工程を有する、潤滑油組成物の製造方法。
【発明の詳細な説明】
【技術分野】
【０００１】
本発明は、２位に分岐構造を有するエーテル系基油の製造方法、冷凍機油組成物の製造方法及び潤滑油組成物の製造方法に関する。
【背景技術】
【０００２】
冷凍機油は、空調、冷蔵庫、カーエアコン等の圧縮型冷凍機に使用され、潤滑性と冷媒との相溶性が要求されている。さらに圧縮機にはモーターを内蔵しているため、漏電防止の観点から高い体積抵抗率が求められている。
このような冷凍機油として、エーテル結合を有するエーテル系基油を用いる場合がある。【０００３】
通常、エーテルの合成には、脱水縮合反応（例えば特許文献１）、又はウィリアムソン反応が用いられる。
【先行技術文献】
【特許文献】
【０００４】
【特許文献１】特開平７−１１８６７５号公報
【発明の概要】
【発明が解決しようとする課題】
【０００５】
上述したように、冷凍機油は高い体積抵抗率が求められている。エーテル系基油の体積抵抗率を高めるためには、２位に分岐構造を持たせることが有効であると考えられる。【０００６】
しかし、脱水縮合反応の場合、２位に分岐構造を有するアルコールは反応点である１位の炭素の立体障害が大きいため、分子間反応によるエーテル化が進行しにくい上、生成するカチオンがより安定な２位へ転位し、分子内脱水が進行するため、オレフィンができやすい。このため、脱水縮合反応では、２位に分岐構造を有するエーテル系化合物を高い収率で得ることができない。【０００７】
また、ウィリアムソン反応の場合、２位に分岐構造を有するハロゲン化合物に対し、同じく２位に分岐構造を有するアルコキシドが求核置換反応を起こすことで目的のエーテルが得られるが、立体障害が大きいため、求核置換反応が進行しにくく、副反応として脱離反応が起きてオレフィン生成が優先してしまう。このため、ウィリアムソン反応では、２位に分岐構造を有するエーテル系化合物を高い収率で得ることができない。【０００８】
本発明は、上記問題を鑑みてなされたものであって、２位に分岐構造を有するエーテル系基油を高い収率で得ることができる、２位に分岐構造を有するエーテル系基油の製造方法、冷凍機油組成物の製造方法及び潤滑油組成物の製造方法を提供することを課題とする。
【課題を解決するための手段】
【０００９】
本発明は、以下の［１］〜［３］を提供する。
［１］下記工程１及び工程２を有する、２位に分岐構造を有するエーテル系基油の製造方法。
工程１：２位に分岐構造を有するアルデヒド（Ａ）に、２位に分岐構造を有するアルコール（Ｂ）を縮合させるアセタール化反応を行い、含アセタール組成物を得る工程。
工程２：含アセタール組成物を還元して２位に分岐構造を有するエーテル系化合物を得る工程。
［２］上記［１］に記載のエーテル系基油の製造方法で得られたエーテル系基油に、冷媒を添加する工程を有する、冷凍機油組成物の製造方法。
［３］上記［１］に記載のエーテル系基油の製造方法で得られたエーテル系基油に、潤滑油添加剤を添加する工程を有する、潤滑油組成物の製造方法。
【発明の効果】
【００１０】
本発明の２位に分岐構造を有するエーテル系基油の製造方法は、２位に分岐構造を有するエーテル系基油を高い収率で得ることができる。
【発明を実施するための形態】
【００１１】
［２位に分岐構造を有するエーテル系基油の製造方法］
本発明の２位に分岐構造を有するエーテル系基油の製造方法の実施形態は、下記工程１及び工程２を有するものである。
工程１：２位に分岐構造を有するアルデヒド（Ａ）に、２位に分岐構造を有するアルコール（Ｂ）を縮合させるアセタール化反応を行い、含アセタール組成物を得る工程。
工程２：含アセタール組成物を還元して２位に分岐構造を有するエーテル系化合物を得る工程。
【００１２】
＜工程１＞
工程１は、２位に分岐構造を有するアルデヒド（Ａ）に、２位に分岐構造を有するアルコール（Ｂ）を縮合させるアセタール化反応を行い、含アセタール組成物を得る工程である。
アルデヒド（Ａ）及びアルコール（Ｂ）の何れか一方が２位に分岐構造を有さない場合、体積抵抗率が高いエーテル系基油を高い収率で得ることができない。例えば、分岐構造が３位以降の場合、多分岐構造でなければ、酸素原子周りの立体障害が小さくなるため、体積抵抗率が低くなる。分岐構造が１位の場合、立体障害により反応が進みにくく収率が低下しやすい。また、分岐構造を全く有さない場合、体積抵抗率を十分に高くできない。
【００１３】
２位に分岐構造を有するアルデヒド（Ａ）は特に限定されないが、下記一般式（Ｉ）で表される化合物が挙げられる。
【化１】
2017164124.tif 000002
［式（Ｉ）中、Ｒ１及びＲ２は、それぞれ独立して、炭素数１以上１２以下のアルキル基を示す。］
【００１４】
上記一般式（Ｉ）において、反応性が良好になることから、Ｒ１及びＲ２のアルキル基の炭素数は、１以上８以下であることが好ましく、２以上６以下であることがより好ましく、２以上４以下であることがさらに好ましい。
また、上記一般式（Ｉ）において、反応性が良好になることから、Ｒ１及びＲ２のアルキル基の炭素数の合計は、２以上１６以下であることが好ましく、３以上１２以下であることがより好ましく、４以上８以下であることがさらに好ましい。
【００１５】
上記一般式（Ｉ）で表される２位に分岐構造を有するアルデヒドの具体例としては、２−メチルプロパナール、２−エチルプロパナール、２−メチルブタナール、２−エチルブタナール、２−プロピルブタナール、２−メチルペンタナール、２−エチルペンタナール、２−プロピルペンタナール、２−ブチルペンタナール、２−メチルヘキサナール、２−エチルヘキサナール、２−プロピルヘキサナール、２−ブチルヘキサナール、２−メチルヘプタナール、２−エチルヘプタナール、２−プロピルヘプタナール、２−ブチルヘプタナール、２−メチルオクタナール、２−エチルオクタナール、２−プロピルオクタナール、２−ブチルオクタナール、２−ペンチルノナナール、２−へキシルデカナール、２−ヘプチルウンデカナール、２−オクチルドデカナール等が挙げられる。
【００１６】
２位に分岐構造を有するアルコール（Ｂ）は特に限定されないが、下記一般式（II）で表される化合物が挙げられる。
【化２】
2017164124.tif 000003
［式（II）中、Ｒ３及びＲ４は、それぞれ独立して、炭素数１以上１２以下のアルキル基を示す。］
【００１７】
上記一般式（II）において、反応性が良好になることから、Ｒ３及びＲ４のアルキル基の炭素数は、１以上８以下であることが好ましく、２以上６以下であることがより好ましく、２以上４以下であることがさらに好ましい。
また、上記一般式（II）において、反応性が良好になることから、Ｒ３及びＲ４のアルキル基の炭素数の合計は、２以上１６以下であることが好ましく、３以上１２以下であることがより好ましく、４以上８以下であることがさらに好ましい。
【００１８】
上記一般式（II）で表される２位に分岐構造を有するアルコールの具体例としては、２−メチル−１−プロパノール、２−エチル−１−プロパノール、２−メチル−１−ブタノール、２−エチル−１−ブタノール、２−プロピル−１−ブタノール、２−メチル−１−ペンタノール、２−エチル−１−ペンタノール、２−プロピル−１−ペンタノール、２−ブチル−１−ペンタノール、２−メチル−１−ヘキサノール、２−エチル−１−ヘキサノール、２−プロピル−１−ヘキサノール、２−ブチル−１−ヘキサノール、２−メチル−１−ヘプタノール、２−エチル−１−ヘプタノール、２−プロピル−１−ヘプタノール、２−ブチル−１−ヘプタノール、２−メチル−１−オクタノール、２−エチル−１−オクタノール、２−プロピル−１−オクタノール、２−ブチル−１−オクタノール、２−ペンチル−１−ノナノール、２−へキシル−１−デカノール、２−ヘプチル−１−ウンデカノール、２−オクチル−１−ドデカノール等が挙げられる。
【００１９】
上述したアルデヒド（Ａ）及びアルコール（Ｂ）は、１種のものを単独で用いてもよいし、２種以上を併用してもよい。
【００２０】
上述したアルデヒド（Ａ）及びアルコール（Ｂ）の組み合わせにより、後述する一般式（III）のエーテル化合物を左右対称構造、又は左右非対称構造とすることができる。
なお、アルデヒド（Ａ）として上記一般式（Ｉ）のものを用い、アルコール（Ｂ）として上記一般式（II）のものを用いた場合において、後述する一般式（III）のエーテル化合物を左右対称構造とするためには、式（Ｉ）のＲ１及びＲ２と、式（II）のＲ３及びＲ４とを同一のものにすればよい。
【００２１】
工程１におけるアルデヒド（Ａ）と、アルコール（Ｂ）との配合比は、アルデヒド（Ａ）が有するホルミル基１当量に対する、アルコール（Ｂ）の水酸基換算での配合量が、１．５〜５．０当量であることが好ましく、１．７〜４．０当量であることがより好ましく、２．０〜３．０当量であることがさらに好ましい。
【００２２】
工程１のアセタール化反応の反応温度としては、アセタール化反応が進行する程度に適宜設定されるが、好ましくは５０〜２００℃、より好ましくは７０〜１８０℃、さらに好ましくは１００〜１５０℃である。また、低い反応温度で反応させるために、系内に窒素等の不活性ガスを導入して反応を進行させてもよい。なお、工程１のアセタール化反応は常圧下で行うことが好ましい。
【００２３】
工程１のアセタール化反応は、酸触媒の存在下で行うことが好ましい。
酸触媒としては、塩酸、硫酸、リン酸、硝酸などの鉱酸、リンタングステン酸などのヘテロポリ酸、スルホン酸系化合物等が挙げられる。これらの中でもスルホン酸系化合物が好ましい。
【００２４】
スルホン酸系化合物としては、スルホ基（−ＳＯ３Ｈ）を有する化合物であればよく、メタンスルホン酸、トリフルオロメタンスルホン酸、１０−カンファ−スルホン酸等の非芳香族スルホン酸系化合物、ベンゼンスルホン酸、ｐ−トルエンスルホン酸等の芳香族スルホン酸系化合物、該芳香族スルホン酸系化合物の水和物等が挙げられ、これらの１種以上を用いることができる。これらの中でも、芳香族スルホン酸系化合物及びその水和物から選ばれる１種以上が好ましく、副反応抑制の観点から、ｐ−トルエンスルホン酸がより好ましい。
【００２５】
本発明の一態様において、酸触媒中のスルホン酸系化合物の配合量は、酸触媒の全量（１００モル％）に対して、好ましくは７０〜１００モル％、より好ましくは８０〜１００モル％、さらに好ましくは９０〜１００モル％である。
【００２６】
アルデヒド（Ａ）１００モル％に対する酸触媒の配合量は、好ましくは４．０モル％以下、より好ましくは２．０モル％以下、さらに好ましくは０．５モル％以下、よりさらに好ましくは０．１モル％以下である。
アルデヒド（Ａ）１００モル％に対する酸触媒の配合量の下限値は、特に制限は無いが、生産性の観点、並びに得られるエーテル系基油の性状を良好に維持する観点から、好ましくは０．０００１モル％以上、より好ましくは０．００１モル％以上、さらに好ましくは０．００５モル％以上である。
【００２７】
工程１のアセタール化反応は、さらに、有機溶媒の存在下で行うことが好ましい。
有機溶媒は特に限定されないが、沸点１００℃以上のものが好ましく、沸点１０５℃以上１５０℃以下のものがより好ましい。なお、本明細書において、有機溶媒の沸点とは、１気圧における沸点（標準沸点）を意味する。
【００２８】
アルデヒド（Ａ）とアルコール（Ｂ）とのアセタール化反応では、水が生成されるが、反応系内に水が残存すると、逆反応との平衡により、反応の進行が妨げられ、生産性が低下する場合がある。また、反応系内に水が残存すると、副生成物の増加を引き起こし、得られるエーテル系基油の性状に悪影響を及ぼす可能性がある。有機溶媒の沸点が１００℃以上の場合、工程１の温度を１００℃以上にして、アセタール化反応で生成した水を除去することができる。
【００２９】
有機溶媒としては、芳香族炭化水素系溶媒、飽和炭化水素系溶媒等の炭化水素系溶媒が挙げられる。
沸点が１００℃以上の有機溶媒としては、トルエン（１１０．６℃）、ｏ−キシレン（１４４．４℃）、ｍ−キシレン（１３９℃）、ｐ−キシレン（１２８℃）等の芳香族炭化水素系溶媒、ｎ−オクタン（１２５．６℃）等の飽和炭化水素系溶媒等が挙げられる。これらの中でもトルエンが好ましい。なお、上記例示中の（  ）内の温度は、各有機溶媒の沸点を示す。
【００３０】
有機溶媒は、２種以上の有機溶媒からなる混合溶媒を用いてもよい。混合溶媒を用いる場合、それぞれの溶媒の沸点が１００℃以上であることが好ましい。また、混合溶媒が共沸混合物を形成する場合には、共沸混合物の沸点が１００℃以上であることが好ましい。
【００３１】
工程１では、アセタール化反応が終了した後に、反応に用いた酸触媒を失活させる処理を行うことが好ましい。また、酸触媒を失活させた後は、反応液を油水分離して、アセタールを含む有機相を洗浄し、さらに無水硫酸マグネシウム等で有機相中の水分を除去して、含アセタール組成物を得ることが好ましい。
【００３２】
＜工程２＞
工程２は、含アセタール組成物に含まれるアセタールを還元して２位に分岐構造を有するエーテル系化合物を得る工程である。
工程２で用いる含アセタール組成物は、工程１で得られた含アセタール組成物をそのまま用いることができる。なお、後述するように、体積抵抗率をより高める観点からは、工程２で用いる含アセタール組成物は、下記の工程１’で得られた含アセタール組成物ｘとすることが好ましい。
また、工程２で用いる含アセタール組成物は、工程１で得られた含アセタール組成物に含まれる溶媒、下記の工程１’で得られた含アセタール組成物ｘに含まれる溶媒を、ロータリーエバポレーター等を用いて留去したものとすることが好ましい。
【００３３】
アセタールの還元方法としては、特に制限は無く、例えば、還元剤を用いる方法や、触媒を用いる接触水素還元方法等が挙げられる。
【００３４】
還元剤を用いる方法で使用する還元剤としては、例えば、水素化リチウムアルミニウム（ＬｉＡｌＨ４）及び水素化ジイソブチルアルミニウム（ＤＩＢＡＬ−Ｈ）等のアルミニウムの水素化物；水素化ホウ素ナトリウム（ＮａＢＨ４）、ジボラン（Ｂ２Ｈ６）、ボラン・アンモニア錯体（ＢＨ３・ＮＨ３）、ボラン・ｔ−ブチルアミン錯体（ＢＨ３・（ＣＨ３）３ＣＮＨ２）、及びボラン・テトラヒドロフラン錯体（ＢＨ３・ＴＨＦ）等のホウ素の水素化物；等が挙げられる。
【００３５】
接触水素還元方法で用いる触媒としては、通常担体に金属成分を担持したもの用いることができる。具体的にはケイソウ土、アルミナ、シリカアルミナ、活性炭等の無機物担体に、ニッケル、ルテニウム、パラジウム、白金、ロジウム及びイリジウム等の周期表の第８〜１０族の金属を担持した水素化触媒が挙げられる。これらの中でも、生成物の選択性の点から、ニッケル／ケイソウ土，ニッケル／シリカアルミナ等のニッケル系触媒が好ましい。また、必要により水素化反応の助触媒としてゼオライト、シリカアルミナ及び活性白土等の固体酸を使用してもよい。
【００３６】
接触水素還元方法における系内の水素圧としては、好ましくは１．２〜５．０ＭＰａ、より好ましくは２．０〜４．５ＭＰａ、さらに好ましくは３．０〜４．０ＭＰａである。
なお、接触水素還元方法においては、アセタールの還元反応前に、触媒の予備活性化の処理や、系内の水分を取り除く脱水処理を行ってもよい。
【００３７】
本工程の還元工程での反応温度は、好ましくは−５０〜２００℃、より好ましくは０〜１８０℃、さらに好ましくは２０℃〜１５０℃である。還元工程の時間は、好ましくは０．５〜１０時間、より好ましくは１〜８時間、さらに好ましくは２〜６時間である。
【００３８】
工程２は有機溶媒の存在下で行うことが好ましい。工程２の有機溶媒としては、反応に不活性な溶媒であれば特に限定されず、メタノールやエタノール等のアルコール類；ｎ−ヘキサン、ｎ−ヘプタン、ｎ−オクタン、イソオクタン、シクロペンタン及びシクロヘキサン等の脂肪族炭化水素類；ベンゼン、トルエン、エチルベンゼン及びキシレン等芳香族炭化水素類；ジエチルエーテル、ジブチルエーテル、テトラヒドロフラン及びジオキサン等のエーテル類；等が挙げられる。
当該有機溶媒は、単独溶媒であってもよく、２種以上を混合してなる混合溶媒であってもよい。
【００３９】
工程２の還元反応終了後は、反応液をろ過して、ろ液を濃縮し、カラムクロマトグラフィー、蒸留及び再結晶等の通常の精製方法により、２位に分岐構造を有するエーテル系化合物を得ることができる。
【００４０】
工程１及び工程２を経て得られた２位に分岐構造を有するエーテル系化合物は、体積抵抗率が高く、冷凍機油組成物の基油、潤滑油組成物の基油として有用であり、特に、圧縮機にモーターを内蔵した冷凍機に用いられる冷凍機油組成物の基油、電動パワーステアリングや車両駆動用モーター等の電動機構を搭載した自動車用潤滑油組成物の基油として有用である。
【００４１】
なお、アルデヒド（Ａ）として上記一般式（Ｉ）のものを用い、アルコール（Ｂ）として上記一般式（II）のものを用いた場合、２位に分岐構造を有するエーテル系化合物としては、下記一般式（III）のものが含まれる。
下記一般式（III）のＲ１及びＲ２は、上記一般式（Ｉ）のＲ１及びＲ２に相当し、下記一般式（III）のＲ３及びＲ４は、上記一般式（II）のＲ３及びＲ４に相当する。
【化３】
2017164124.tif 000004
［式（III）中、Ｒ１〜Ｒ４は、それぞれ独立して、炭素数１以上１２以下のアルキル基を示す。］
【００４２】
上記一般式（III）において、Ｒ１〜Ｒ４のアルキル基の炭素数は、１以上８以下であることが好ましく、２以上６以下であることがより好ましく、２以上４以下であることがさらに好ましい。
また、上記一般式（III）において、Ｒ１及びＲ２のアルキル基の炭素数の合計、並びに、Ｒ３及びＲ４のアルキル基の炭素数の合計は、それぞれ、２以上１６以下であることが好ましく、３以上１２以下であることがより好ましく、４以上８以下であることがさらに好ましい。
【００４３】
工程１及び工程２を経て得られたエーテル系化合物の中で、上記一般式（III）に示すエーテル系化合物の割合は、９０質量％以上であることが好ましく、９４質量％以上であることがより好ましく、９６質量％以上であることがさらに好ましい。
【００４４】
＜工程１’＞
本発明の一態様では、工程１と工程２との間に下記の工程１’を行い、工程２の含アセタール組成物として、工程１’で得られた含アセタール組成物ｘを用いることが好ましい。
工程１’：前記工程１で得られた含アセタール組成物をアルカリ処理した後、アセタールを含む有機相と、水相とを分離し、有機相から含アセタール組成物ｘを得る工程。
【００４５】
工程１で得られた含アセタール組成物の中には、副生成物であるエステルを含む場合がある。エステルが含まれると工程２で得られたエーテル系基油の体積抵抗率は低くなってしまう。
一方、工程１’を行うことにより、工程１’で得られた含アセタール組成物ｘに含まれるエステルを低減することができ、ひいてはエーテル系基油に含まれるエステルを低減し、エーテル系基油の体積抵抗率を高くすることができる。
【００４６】
工程１’では、工程１で得られた含アセタール組成物をアルカリ処理している。これにより、含アセタール組成物に含まれるエステルがアルカリにより加水分解される。
エステルは加水分解によって、カルボン酸イオン及びアルコールとなる。カルボン酸イオンはナトリウム等のアルカリ金属と結合し、カルボン酸ナトリウム等を形成し、アルコールとともに水相に移動する。一方、アセタールは有機相に残存する。
このため、工程１’で得られた含アセタール組成物ｘは、エステルの含有量を低減することができる。
【００４７】
アルカリは、アルカリ金属の水酸化物、アルカリ土類金属の水酸化物が挙げられ、アルカリ金属の水酸化物が好適である。
アルカリ金属の水酸化物としては、水酸化ナトリウム、水酸化カリウム及び水酸化リチウム等が挙げられる。アルカリ土類金属の水酸化物としては、水酸化カルシウム、水酸化ストロンチウム及び水酸化バリウム等が挙げられる。
アルカリの使用量は系内がアルカリ性となる程度であればよいが、工程１’の系内に存在する水１００質量部に対して、１〜２５０質量部であることが好ましく、１０〜２００質量部であることがより好ましく、２０〜１５０質量部であることがさらに好ましい。
【００４８】
工程１で得られた含アセタール組成物は、アルカリと混合することにより、アルカリ処理できる。この際、アルカリをアルカリ水溶液の形態として、工程１で得られた含アセタール組成物とを混合することが好ましい。
また、工程１で得られた含アセタール組成物と、アルカリとを混合した後は、加水分解を促進させるため、撹拌することが好ましい。
【００４９】
工程１’の系内の水の量は特に限定されないが、工程１で得られた含アセタール組成物１００質量部に対して、１〜２００質量部であることが好ましく、１０〜１５０質量部であることがより好ましく、２０〜１２０質量部であることがさらに好ましい。
【００５０】
工程１’の加水分解の温度は、２０〜１００℃が好ましく、４０〜９０℃がより好ましく、６０〜８５℃がさらに好ましい。加水分解の時間は、０．５〜１２時間とすることが好ましく、１〜８時間とすることがより好ましい。
【００５１】
工程１’の系内には、工程１で用いる有機溶媒と、水との中間的性質を有する溶媒を添加することが好ましい。該溶媒を添加することにより、攪拌時に有機相と水相とが混ざりやすくなり、加水分解を促進することができる。
該溶媒としては、メタノール、エタノール、トリエチレングリコール及びジプロピレングリコール等が挙げられる。
該溶媒の量は、工程１’の系内の水１００質量部に対して、１〜５００質量部であることが好ましく、１０〜３００質量部であることがより好ましく、２０〜２５０質量部であることがさらに好ましい。
【００５２】
＜エーテル系基油の性状＞
上記工程で得られた２位に分岐構造を有するエーテル系基油は、体積抵抗率が１．０×１０１０Ω・ｍ以上であることが好ましく、１．０×１０１１Ω・ｍ以上であることがより好ましく、１．０×１０１２Ω・ｍ以上であることがさらに好ましく、１．０×１０１３Ω・ｍ以上であることがよりさらに好ましい。
なお、体積抵抗率は、例えば、室温（２５℃）の試料油を体積固有抵抗測定用の液体セルに封入し、ＡＤＣＭＴ社製のデジタル超高抵抗／微少電流計（型番：５４５１）を用い、印加電圧２５０Ｖで測定することができる。
【００５３】
また、上記工程で得られた２位に分岐構造を有するエーテル系基油は、４０℃動粘度、１００℃動粘度、粘度指数、及び流動点が以下の範囲であることがより好ましい。
４０℃動粘度は、２５０ｍｍ２／ｓ以下であることが好ましく、１００ｍｍ２／ｓ以下であることがより好ましい。
１００℃動粘度は、５０ｍｍ２／ｓ以下であることが好ましく、２５ｍｍ２／ｓ以下であることがより好ましい。
粘度指数は、２０以上であることが好ましく、１００以上であることがより好ましい。
流動点は、０℃以下であることが好ましく、−３０℃以下であることがより好ましい。
なお、上記の動粘度及び粘度指数は、ＪＩＳ  Ｋ２２８３：１９８３に記載の方法に準拠して測定した値であり、流動点は、ＪＩＳ  Ｋ２２６９：１９８７に記載の方法に準拠して測定した値である。
【００５４】
エーテル系基油中に副生成物であるエステル系化合物が存在すると、エーテル系基油の体積抵抗率が低下する。このため、エステル系化合物の含有量は、２位に分岐構造を有するエーテル系基油の全量基準で２．０質量％以下が好ましく、より好ましくは１．５質量％以下であり、さらに好ましくは１．０質量％以下である。
【００５５】
［冷凍機油組成物の製造方法］
本発明の冷凍機油組成物の製造方法の実施形態は、上述した本発明の２位に分岐構造を有するエーテル系基油の製造方法の実施の形態で得られたエーテル系基油に、冷媒を添加する工程を有するものである。
【００５６】
冷媒としては、フッ化炭化水素冷媒、フッ化エーテル化合物冷媒、フッ化アルコール化合物冷媒、フッ化ケトン化合物冷媒、自然冷媒等が挙げられる。冷媒は一種でもよいが、二種以上を混合して用いてもよい。これら冷媒は汎用のものを用いることができる。
【００５７】
エーテル系基油と冷媒との含有量比（エーテル系基油／冷媒）は、質量比で好ましくは１／９９〜９９／１、より好ましくは５／９５〜６０／４０である。
【００５８】
本発明の冷凍機油組成物の製造方法の実施形態では、さらに、添加剤を添加する工程を有していてもよい。
添加剤としては、酸化防止剤、極圧剤、酸捕捉剤、酸素捕捉剤及び銅不活性化剤等が挙げられ、これらの添加剤から選ばれる１種以上を用いることができる。各添加剤の含有量は、エーテル系基油の全量基準で、通常０．０１〜５質量％、好ましくは０．０５〜３質量％である。
【００５９】
上記実施形態により得られた冷凍機油組成物は、各種冷凍機に用いることができるが、特に、漏電防止の観点から高い体積抵抗率が求められる、圧縮機にモーターを内蔵した冷凍機用の冷凍機油組成物として好適に用いることができる。
【００６０】
［潤滑油組成物の製造方法］
本発明の潤滑油組成物の製造方法の実施形態は、上述した本発明の２位に分岐構造を有するエーテル系基油の製造方法の実施の形態で得られたエーテル系基油に、潤滑油添加剤を添加する工程を有するものである。
【００６１】
潤滑油添加剤としては、粘度指数向上剤、酸化防止剤、極圧剤、摩耗防止剤、分散剤、金属系清浄剤、防錆剤、摩擦調整剤、摩擦緩和剤、流動点降下剤、消泡剤及び増粘剤等が挙げられる。これら潤滑油添加剤から選ばれる１種以上をエーテル系基油に添加することができる。
【００６２】
各潤滑油添加剤の含有量は、エーテル系基油の全量基準で、通常０．０１〜５質量％、好ましくは０．０５〜３質量％である。
【００６３】
上記実施形態により得られた潤滑油組成物は、例えば、内燃機油、駆動系油等の自動車用潤滑油組成物等として用いることができ、特に、漏電防止の観点から高い体積抵抗率が求められる、電動パワーステアリングや車両駆動用モーター等の電動機構を搭載した自動車用潤滑油組成物として好適に用いることができる。
【実施例】
【００６４】
次に、本発明を実施例により更に詳細に説明するが、本発明はこれらの例によって何ら限定されるものではない。【００６５】
１．エーテルの合成
［実施例１］
（工程１：アセタール化反応）
２Ｌの四口フラスコに、滴下ロート、ディーンスターク、ジムロート、及びメカニカルスターラーを取り付け、系内を窒素で置換した。次に、窒素で置換した系内に、２位に分岐構造を有するアルコール（Ｂ）として、２−エチル−１−ヘキサノール４１５ｇ（１．４ｍｏｌ，５００ｍｌ，２．２当量／対アルデヒド１当量）を、酸触媒として、ｐ−トルエンスルホン酸一水和物５．２ｇ（３０ｍｍｏｌ、０．０２当量／対アルデヒド１当量）を、並びに、有機溶媒として、トルエン１７３ｇ（２００ｍＬ、６．０質量部／対アルデヒド１質量部）を仕込み、原料混合物を調整した。次いで、原料混合物を撹拌しながら、系内の温度が１１０℃に達するまで加熱した。
系内の温度が１１０℃に到達後、２位に分岐構造を有するアルデヒド（Ａ）として、２−エチルヘキサナール１８６ｇ（１．４ｍｏｌ、２２７ｍＬ）を滴下ロートを用いて１時間かけて、系内の原料混合物に滴下した。滴下終了後、常圧下で１２０℃まで昇温した後、同温度で５時間撹拌し、アセタール反応を進行させた。
その後、ガスクロマトグラフィーにてアセタール化の反応転化率、選択率を確認した後、室温（２５℃）まで冷却し、炭酸水素ナトリウム飽和水溶液０．２Ｌを加えて、酸触媒を失活させた。そして、反応液を分液ロートに移送して、油水分離し、有機相を水０．５Ｌで３回洗浄後、無水硫酸マグネシウムを加えて、有機相の水分を除去した。その上で、有機相の液体をろ過し、含アセタール組成物を得た 。【００６６】
（工程１’：アルカリ処理）
２Ｌの４口フラスコに、ジムロート及びメカニカルスターラーを取り付け、系内を窒素で置換した。次に、工程１で得られた含アセタール組成物を４８０ｇ、５０質量％ＮａＯＨ水溶液を４８０ｇ、メタノール４８０ｇを仕込み、８０℃で５時間撹拌した。
その後、反応液を分液ロートに移送して油水分離し、有機相を水０．５Ｌで５回洗浄後、無水硫酸マグネシウムを加えて、有機相の水分を除去した。その上で、有機相の液体をろ過し、ろ液をロータリーエバポレータにて濃縮して溶媒を留去して、含アセタール組成物ｘを得た。【００６７】
（工程２：還元）
１Ｌのオートクレーブに、触媒として、ニッケル珪藻土（日揮触媒化成社製、商品名：Ｎ−１１３）を１０．０ｇ、及び、溶媒として、イソオクタン３００ｇを加え、系内を水素で置換した後、内部温度２００℃、水素圧３．５ＭＰａで０．５時間予備活性化を行った。
室温（２５℃）に降温し、系内を窒素で置換した後、アセトアルデヒドジエチルアセタール１０．０ｇを加えて、水素で置換した後、内部温度１４０℃、水素圧３．５ＭＰａで０．５時間脱水した 。 
室温（２５℃）に降温し、系内を窒素で置換した後、系内の上澄みを取り除き、工程１’で得られた含アセタール組成物ｘを仕込んで水素で置換し、内部温度１２０℃、水素圧３．５ＭＰａで、５時間水素化反応を進行させた。
水素化反応終了後、室温（２５℃）に降温し、系内の反応液を取り出した。ガスクロマトグラフィーによりエーテル系基油の反応転化率及び選択率を確認した後、ガラスフィルターにて触媒を分離し、ろ液をロータリーエバポレータにて濃縮し、濃縮物を得た。そして、濃縮物を、ビグリュー分留管及びリービッヒ冷却器を取り付けた蒸留装置を用いて、１２８℃、０．３４ｔｏｒｒで減圧蒸留し、２位に分岐構造を有するエーテル系化合物を得た。【００６８】
［実施例２］
実施例１と同様の方法で工程１のアセタール化反応を行った後、工程１’のアルカリ処理を行わずにアセタール反応溶液をロータリーエバポレータにて濃縮して溶媒を留去し、溶媒を留去した含アセタール組成物を得た。その後、実施例１と同様の方法で工程２の還元を行った。【００６９】
［比較例１］
（脱水縮合反応）
１Ｌの四口フラスコに、ディーンスターク、ジムロート、及びメカニカルスターラーを取り付け、系内を窒素で置換した。次に系内にアルコールとして、２−エチル−１−ヘキサノールを３１１ｇ（２．３８ｍｏｌ）、酸触媒として、硫酸を２４ｇ（０．２４ｍｏｌ、０．１当量／対アルコール１当量）、有機溶媒として、トルエンを２６ｇ仕込み、原料混合物を調整した。次いで、原料混合物を撹拌しながら、常圧下で系内の温度が１４０℃に達するまで加熱した。その後、ガスクロマトグラフィーにてエーテル化の反応転化率、選択率を確認した後、室温（２５℃）まで冷却し、炭酸水素ナトリウム飽和水溶液０．２Ｌを加えて、酸触媒を失活させた。そして、反応液を分液ロートに移送して、油水分離し、有機相を水０．５Ｌで３回洗浄後、無水硫酸マグネシウムを加えて、有機相の液体を乾燥させた。【００７０】
［比較例２］
（ウィリアムソン反応）
２Ｌのセパラブルフラスコに、滴下ロート、ジムロート、及びメカニカルスターラーを取り付け、系内を窒素で置換した。次に系内にアルコールとして、２−エチル−１−ヘキサノールを１９５ｇ（１．５ｍｏｌ）、ハロゲン化アルキルとして、１−ブロモ−２−エチルヘキサンを２９０ｇ（１．５ｍｏｌ）、相間移動触媒として、テトラブチルアンモニウムブロミドを４８ｇ（０．１５ｍｏｌ、０．１当量／対アルコール１当量）、反応溶媒として、５０％水酸化ナトリウム水溶液を３００ｇ（３．７５ｍｏｌ、２．５当量／対アルコール１当量）を仕込み、原料混合物を調整した。次いで、原料混合物を撹拌しながら、常圧下で系内の温度が７０℃に達するまで加熱した。その後、ガスクロマトグラフィーにてエーテル化の反応転化率、選択率を確認した後、室温（２５℃）まで冷却した。そして、反応液を分液ロートに移送して、油水分離し、有機相を水０．５Ｌで３回洗浄、飽和食塩水０．５Ｌで１回洗浄後、無水硫酸マグネシウムを加えて、有機相の液体を乾燥させた。その上で、有機相の液体をろ過し、ろ液をロータリーエバポレータにて濃縮して溶媒を留去した 。【００７１】
２．物性の測定及び収率の計算
２−１．体積抵抗率
室温（２５℃）の試料油を体積固有抵抗測定用の液体セルに封入し、ＡＤＣＭＴ社製のデジタル超高抵抗／微少電流計（型番：５４５１）を用い、印加電圧２５０Ｖで体積抵抗率を測定した。【００７２】
２−２．エーテル系基油の収率
実施例１及び２のエーテル系基油の収率は、下記式（１）から算出できる。
エーテル系基油の収率（％）＝アセタールの収率（％）×アセタールの転化率（％）×エーテル系基油の選択率（％）／１００  （１）
なお、上記式（１）のアセタールの収率は、工程１のガスクロマトグラフィーで得られたアルデヒドの転化率及びアセタールの選択率により、下記式（２）から算出できる。また、上記式（１）のエーテル系基油の選択率は、工程２のガスクロマトグラフィーで得られる。
アセタールの収率（％）＝アルデヒドの転化率（％）×アセタールの選択率（％）／１００  （２）【００７３】
比較例１及び２のエーテル系基油の収率は、下記式（３）から算出できる。
エーテル系基油の収率（％）＝アルコールの転化率（％）×エーテル系基油の選択率（％）／１００  （３）【００７４】
２−３．エーテル系基油中のエステル系化合物の含有量の測定
ガスクロマトグラフィーにより、実施例１及び２のエーテル系基油中のエステル系化合物の含有量（質量％）を測定した。【００７５】
【表１】
2017164124.tif 000005
【００７６】
表１に示す評価結果から明らかなように、実施例１、２で得られたエーテル系基油は、比較例１、２に比べ、収率が極めて高く、優れた製法であることが確認できる。また、実施例１に関しては、体積抵抗率が極めて高く、圧縮機にモーターを内蔵した冷凍機の冷凍機油組成物の基油、および電動機構を搭載した自動車用の潤滑油組成物の基油として有用であることが確認できる。
なお、実施例１、２で得られた２位に分岐構造を有するエーテル系基油の分子構造をＮＭＲで確認したところ、上記一般式（III）のＲ１及びＲ４がブチル基、Ｒ２及びＲ４がエチル基である、ジ（２−エチルヘキシル）エーテルであることが確認された。また、実施例１、２で得られた全エーテルに占めるジ（２−エチルヘキシル）エーテルの割合は、それぞれ９５質量％以上であった。
【国際調査報告】
2017164124.tif 000009
2017164124.tif 000010
2017164124.tif 000011
2017164124.tif 000012